(57)【要約】【課題】コンテンツに含まれているマルチメディアのファイル数とファイルの種類とを基にした課金システムを提供することにある。【解決手段】ゲートウェイ２は、携帯端末１が読み出したコンテンツを中継する場合にコンテンツがＳＭＩＬで作成されたファイルであればそのファイルに含まれるファイル種別毎の拡張子とファイルサイズと再生時間とを含むファイル情報をＳＭＩＬログファイルとして取得しサーバ４に送信する。サーバ４は、ファイル種別毎にファイル数の条件を示す条件情報とファイルの単金情報とを予めデータベース４１に格納し、ゲートウェイ２からＳＭＩＬログファイルを受信するとＳＭＩＬファイル種別毎にデータベース４１にある条件情報からファイル数を算出し、そのファイル数を基にデータベース４１からＳＭＩＬファイルに含まれるファイル種別毎の料金を算出して、その料金からコンテンツの料金を算出する。【選択図】　　　図１
2004086493.tif 000002
【特許請求の範囲】
【請求項１】
無線網を介しての携帯端末からの要求によりインターネットに接続するサポートを行うオペレータが前記携帯端末によるインターネットからのコンテンツの読出し時にその読み出したＳＭＩＬを使用したコンテンツの課金を行う課金方式であって、
ＳＭＩＬファイルに含まれるファイル種別毎にファイル情報に基づいた料金をあらかじめ設定したデータベースを備え、
前記携帯端末が読み出したコンテンツからＳＭＩＬファイルに含まれるファイル種別毎に前記ファイル情報を抽出する抽出手段と、
前記抽出手段により抽出したファイル情報を基に前記データベースに設定した料金を抽出しその抽出した料金を基にコンテンツの課金を行う課金手段と、を有することを特徴とするＳＭＩＬを使用したコンテンツの課金方式。
【請求項２】
無線網を介しての携帯端末からの要求によりインターネットに接続するサポートを行うオペレータが前記携帯端末によるインターネットからのコンテンツの読出し時にその読み出したＳＭＩＬを使用したコンテンツの課金を行う課金方式であって、
前記オペレータは、ＳＭＩＬファイルに含まれるファイル種別毎にファイル情報に基づいた料金をあらかじめ設定したデータベースを備え、
前記携帯端末が読み出したコンテンツを中継する場合に前記コンテンツがＳＭＩＬで作成されたかどうかを検索する検索手段と、
前記検索手段により前記コンテンツがＳＭＩＬで作成されたファイルであれば前記コンテンツからＳＭＩＬファイルに含まれるファイル種別毎の前記ファイル情報を抽出する抽出手段と、
前記抽出手段により抽出したＳＭＩＬファイルに含まれるファイル種別毎のファイル情報を基に前記データベースからＳＭＩＬファイルに含まれるファイル種別毎にファイル数を算出する第１の算出手段と、
前記第１の算出手段で算出したＳＭＩＬファイルに含まれるファイル種別毎のファイル数から前記データベースを検索して前記コンテンツの料金を算出する第２の算出手段と、を有することを特徴とするＳＭＩＬを使用したコンテンツの課金方式。
【請求項３】
前記ファイル情報は、拡張子とファイルサイズと再生時間とを含むことを特徴とする請求項１または２記載のＳＭＩＬを使用したコンテンツの課金方式。
【請求項４】
前記データベースは、ＳＭＩＬファイルに含まれるファイル種別毎に１ファイルとしてファイルの最大のサイズを示すファイルサイズ制限と、１ファイルとして最大の再生時間を示す再生時間制限と、を含むことを特徴とする請求項１または２記載のＳＭＩＬを使用したコンテンツの課金方式。
【請求項５】
無線網を介しての携帯端末からの要求によりインターネットに接続するサポートを行うオペレータが前記携帯端末によるインターネットからのコンテンツの読出し時にその読み出したＳＭＩＬを使用したコンテンツの課金を行う課金方式であって、
前記オペレータ内に、前記コンテンツの中継を行うゲートウェイと、
ＳＭＩＬを使用したコンテンツの課金のログを取るサーバと、を備え、
前記ゲートウェイは、前記携帯端末が読み出したコンテンツを中継する場合に前記コンテンツがＳＭＩＬで作成されたかどうかを検索する検索手段と、
前記検索手段により前記コンテンツがＳＭＩＬで作成されたファイルであれば前記コンテンツからＳＭＩＬファイルに含まれるファイル種別毎の拡張子とファイルサイズと再生時間とを含むファイル情報を抽出しその抽出したＳＭＩＬファイルに含まれるファイル種別毎のファイル情報をＳＭＩＬログファイルとして取得するＳＭＩＬログ取得手段と、
前記ＳＭＩＬログ手段により取得したＳＭＩＬログファイルを前記サーバに送信する送信手段と、を有し、
前記サーバは、ＳＭＩＬファイルに含まれるファイル種別毎にファイル数の条件を示す条件情報と１ファイルあたりの料金を示す料金情報とをあらかじめデータベースに格納する格納手段と、
前記ゲートウェイから前記ＳＭＩＬログファイルを受信するとＳＭＩＬファイルに含まれるファイル種別毎に前記データベースに格納された前記条件情報からファイル数を算出する第１の算出手段と、
前記第１の算出手段で算出したＳＭＩＬファイルに含まれるファイル種別毎のファイル数を基に前記データベースに格納された前記料金情報を抽出することによりＳＭＩＬファイルに含まれるファイル種別毎の料金を算出しその算出したファイル種別毎の料金から前記コンテンツの料金を算出する第２の算出手段と、を有することを特徴とするＳＭＩＬを使用したコンテンツの課金方式。
【請求項６】
前記格納手段で格納する条件情報は、１ファイルとしてファイルの最大のサイズを示すファイルサイズ制限と、１ファイルとして最大の再生時間を示す再生時間制限と、を含むことを特徴とする請求項５記載のＳＭＩＬを使用したコンテンツの課金方式。
【請求項７】
前記送信手段は、前記携帯端末と前記コンテンツを読み出しているインターネット先との間の通信パスが解除された場合に前記ＳＭＩＬログファイルを前記サーバに送信することを特徴とする請求項５記載のＳＭＩＬを使用したコンテンツの課金方式。
【請求項８】
無線網を介しての携帯端末からの要求によりインターネットに接続するサポートを行うオペレータが前記携帯端末によるインターネットからのコンテンツの読出し時にその読み出したコンテンツの課金を行うＳＭＩＬを使用したコンテンツの課金方法であって、
前記携帯端末が読み出したコンテンツからＳＭＩＬファイルを抽出し、
その抽出したＳＭＩＬファイルに含まれるファイル種別毎にあらかじめ決められた１ファイルあたりの料金に基づいて前記ＳＭＩＬファイルに含まれるファイル種別毎の課金を算出し、
前記ＳＭＩＬファイルに含まれるファイル種別毎に算出した課金の合計を１コンテンツあたりの料金として課金することを特徴とするＳＭＩＬを使用したコンテンツの課金方法。
【請求項９】
無線網を介しての携帯端末からの要求によりインターネットに接続するサポートを行うオペレータが前記携帯端末によるインターネットからのコンテンツの読出し時にその読み出したコンテンツの課金を行うＳＭＩＬを使用したコンテンツの課金方法であって、
ＳＭＩＬファイルの種別毎にファイル情報に基づいた料金をあらかじめ設定したデータベースを準備し、
前記携帯端末が読み出したコンテンツからＳＭＩＬファイルに含まれるファイル種別毎に前記ファイル情報を抽出し、
その抽出したファイル情報を基に前記データベースに設定した料金からＳＭＩＬファイルに含まれるファイル種別毎の料金を算出し、
そのＳＭＩＬＥファイルに含まれるファイル種別毎に算出した料金を合計することでコンテンツの課金を行うことを特徴とするＳＭＩＬを使用したコンテンツの課金方法。
【請求項１０】
無線網を介しての携帯端末からの要求によりインターネットに接続するサポートを行うオペレータが前記携帯端末によるインターネットからのコンテンツの読出し時にその読み出したコンテンツの課金を行うＳＭＩＬを使用したコンテンツの課金方法であって、
前記オペレータは、ＳＭＩＬファイルに含まれるファイル種別毎にファイル情報に基づいた料金をあらかじめ設定したデータベースを準備し、
前記携帯端末が読み出したコンテンツを中継する場合に前記コンテンツがＳＭＩＬで作成されたかどうかを検索し、
検索した結果前記コンテンツがＳＭＩＬで作成されたファイルであれば前記コンテンツからＳＭＩＬファイルに含まれるファイル種別毎の前記ファイル情報を抽出し、
その抽出したＳＭＩＬファイルに含まれるファイル種別毎のファイル情報を基に前記データベースからＳＭＩＬファイルに含まれるファイル種別毎にファイル数を算出し、
その算出したＳＭＩＬファイルに含まれるファイル種別毎のファイル数から前記データベースを検索して前記コンテンツの料金を算出することを特徴とするＳＭＩＬを使用したコンテンツの課金方法。
【請求項１１】
前記ファイル情報は、拡張子とファイルサイズと再生時間とを含むことを特徴とする請求項９または１０記載のＳＭＩＬを使用したコンテンツの課金方法。
【請求項１２】
前記データベースは、ＳＭＩＬファイルに含まれるファイル種別毎に１ファイルとしてファイルの最大のサイズを示すファイルサイズ制限と、１ファイルとして最大の再生時間を示す再生時間制限と、を含むことを特徴とする請求項９または１０記載のＳＭＩＬを使用したコンテンツの課金方法。
【請求項１３】
無線網を介しての携帯端末からの要求によりインターネットに接続するサポートを行うオペレータが前記携帯端末によるインターネットからのコンテンツの読出し時にその読み出したコンテンツの課金を行うＳＭＩＬを使用したコンテンツの課金方法であって、
前記オペレータ内に、前記コンテンツの中継を行うゲートウェイと、
ＳＭＩＬを使用したコンテンツの課金のログを取るサーバと、を準備し、
前記ゲートウェイは、前記携帯端末が読み出したコンテンツを中継する場合に前記コンテンツがＳＭＩＬで作成されたかどうかを検索し、
検索した結果前記コンテンツがＳＭＩＬで作成されたファイルであれば前記コンテンツからＳＭＩＬファイルに含まれるファイル種別毎の拡張子とファイルサイズと再生時間とを含むファイル情報を抽出し、
その抽出したＳＭＩＬファイルに含まれるファイル種別毎のファイル情報をＳＭＩＬログファイルとして取得し、
その取得したＳＭＩＬログファイルを前記サーバに送信し、
前記サーバは、ＳＭＩＬファイルに含まれるファイル種別毎にファイル数の条件を示す条件情報と１ファイルあたりの料金を示す料金情報とをあらかじめデータベースに格納し、
前記ゲートウェイから前記ＳＭＩＬログファイルを受信するとＳＭＩＬファイルに含まれるファイル種別毎に前記データベースに格納された前記条件情報からファイル数を算出し、その算出したＳＭＩＬファイルに含まれるファイル種別毎のファイル数を基に前記データベースに格納された前記料金情報を抽出することによりＳＭＩＬファイルに含まれるファイル種別毎の料金を算出し、
その算出したファイル種別毎の料金から前記コンテンツの料金を算出することを特徴とするＳＭＩＬを使用したコンテンツの課金方法。
【請求項１４】
前記条件情報は、１ファイルとしてファイルの最大のサイズを示すファイルサイズ制限と、１ファイルとして最大の再生時間を示す再生時間制限と、を含むことを特徴とする請求項１３記載のＳＭＩＬを使用したコンテンツの課金方法。
【請求項１５】
前記ゲートウェイは、前記取得したＳＭＩＬログファイルを前記サーバに送信する場合は前記携帯端末と前記コンテンツを読み出しているインターネット先との間の通信パスが解除された場合に前記ＳＭＩＬログファイルを前記サーバに送信することを特徴とする請求項１３記載のＳＭＩＬを使用したコンテンツの課金方法。
【発明の詳細な説明】
【０００１】
【発明の属する技術分野】
本発明は、ＳＭＩＬ（Ｓｙｎｃｈｒｏｎｉｚｅｄ　Ｍｕｌｔｉｍｅｄｉａ　Ｉｎｔｅｇｒａｔｉｏｎ　Ｌａｎｇｕａｇｅ）を使用したコンテンツの課金方式および方法に関し、特に、携帯端末からＷｅｂサーバにアクセスしてＳＭＩＬを使用したコンテンツを読み出した場合のＳＭＩＬを使用したコンテンツの課金方式および方法に関する。
【０００２】
【従来の技術】
インターネットとそのインフラの急速な発展により、インターネット上では非常に多くの情報が提供され使用されている。今までは、それらの情報（コンテンツ）のほとんどがテキストデータで、コンテンツを作成する言語としてＨＴＭＬ（Ｈｙｐｅｒ　Ｔｅｘｔ　Ｍａｒｋｕｐ　Ｌａｎｇｕａｇｅ）に代表されるマークアップ言語が用いられていた。それらのコンテンツのテキスト転送における課金方式の主なものは、回線使用時間単位、従量（パケット）単位による課金方式である。
【０００３】
【発明が解決しようとする課題】
しかしながら、インターネット上で扱われるファイルは多様化し、情報のマルチメディア化が進む中で、コンテンツを作成するための言語として最近特に注目を浴びているのが、ＳＭＩＬ（Ｓｙｎｃｈｒｏｎｉｚｅｄ　Ｍｕｌｔｉｍｅｄｉａ　Ｉｎｔｅｇｒａｔｉｏｎ　Ｌａｎｇｕａｇｅ）である。ＳＭＩＬとは、マルチメディアファイルを統合的に扱う言語で、テキストはもちろん、音声、ビデオ、画像、アニメーションなどのファイルを、時間的に同期させ、表示位置の指定や、再生方法の指定が可能な言語のことである。
【０００４】
ＳＭＩＬを用いて、マルチメディアファイルを扱うことができるようになった現在、マルチメディアファイルは一般的にテキストデータだけのファイルよりファイルサイズが大きくなり、また時間の同期を利用した効果的な時間調整（例えば、フェードイン、フェードアウトなど）を行なうほど通信時間がかかり、従来の携帯端末の携帯電話会社が採用している回線使用時間単位、従量（パケット）単位による課金方式では、マルチメディアファイルを扱うほど、課金が増加してしまうという問題点がある。
【０００５】
本発明の目的は、上記問題点を鑑み、回線使用時間単位および重量（パケット）単位による課金方式と違い、コンテンツに含まれているマルチメディアのファイル数とファイルの種類とを基にした課金システムを提供することにある。
【０００６】
【課題を解決するための手段】
上記目的を達成するために、本発明の第１のＳＭＩＬを使用したコンテンツの課金方式は、無線網を介しての携帯端末からの要求によりインターネットに接続するサポートを行うオペレータが前記携帯端末によるインターネットからのコンテンツの読出し時にその読み出したＳＭＩＬを使用したコンテンツの課金を行う課金方式であって、ＳＭＩＬファイルに含まれるファイル種別毎にファイル情報に基づいた料金をあらかじめ設定したデータベースを備え、前記携帯端末が読み出したコンテンツからＳＭＩＬファイルに含まれるファイル種別毎に前記ファイル情報を抽出する抽出手段と、前記抽出手段により抽出したファイル情報を基に前記データベースに設定した料金を抽出しその抽出した料金を基にコンテンツの課金を行う課金手段と、を有することを特徴としている。
【０００７】
また、本発明の第２のＳＭＩＬを使用したコンテンツの課金方式は、無線網を介しての携帯端末からの要求によりインターネットに接続するサポートを行うオペレータが前記携帯端末によるインターネットからのコンテンツの読出し時にその読み出したＳＭＩＬを使用したコンテンツの課金を行う課金方式であって、前記オペレータは、ＳＭＩＬファイルに含まれるファイル種別毎にファイル情報に基づいた料金をあらかじめ設定したデータベースを備え、前記携帯端末が読み出したコンテンツを中継する場合に前記コンテンツがＳＭＩＬで作成されたかどうかを検索する検索手段と、前記検索手段により前記コンテンツがＳＭＩＬで作成されたファイルであれば前記コンテンツからＳＭＩＬファイルに含まれるファイル種別毎の前記ファイル情報を抽出する抽出手段と、前記抽出手段により抽出したＳＭＩＬファイルに含まれるファイル種別毎のファイル情報を基に前記データベースからＳＭＩＬファイルに含まれるファイル種別毎にファイル数を算出する第１の算出手段と、前記第１の算出手段で算出したＳＭＩＬファイルに含まれるファイル種別毎のファイル数から前記データベースを検索して前記コンテンツの料金を算出する第２の算出手段と、を有することを特徴としている。
【０００８】
更に、上記の第１または第２のＳＭＩＬを使用したコンテンツの課金方式において、前記ファイル情報は、拡張子とファイルサイズと再生時間とを含むことを特徴としている。
【０００９】
更に、上記の第１または第２のＳＭＩＬを使用したコンテンツの課金方式において、前記データベースは、ＳＭＩＬファイルに含まれるファイル種別毎に１ファイルとしてファイルの最大のサイズを示すファイルサイズ制限と、１ファイルとして最大の再生時間を示す再生時間制限と、を含むことを特徴としている。
【００１０】
また、本発明の第３のＳＭＩＬを使用したコンテンツの課金方式は、無線網を介しての携帯端末からの要求によりインターネットに接続するサポートを行うオペレータが前記携帯端末によるインターネットからのコンテンツの読出し時にその読み出したＳＭＩＬを使用したコンテンツの課金を行う課金方式であって、前記オペレータ内に、前記コンテンツの中継を行うゲートウェイと、ＳＭＩＬを使用したコンテンツの課金のログを取るサーバと、を備え、前記ゲートウェイは、前記携帯端末が読み出したコンテンツを中継する場合に前記コンテンツがＳＭＩＬで作成されたかどうかを検索する検索手段と、前記検索手段により前記コンテンツがＳＭＩＬで作成されたファイルであれば前記コンテンツからＳＭＩＬファイルに含まれるファイル種別毎の拡張子とファイルサイズと再生時間とを含むファイル情報を抽出しその抽出したＳＭＩＬファイルに含まれるファイル種別毎のファイル情報をＳＭＩＬログファイルとして取得するＳＭＩＬログ取得手段と、前記ＳＭＩＬログ手段により取得したＳＭＩＬログファイルを前記サーバに送信する送信手段と、を有し、前記サーバは、ＳＭＩＬファイルに含まれるファイル種別毎にファイル数の条件を示す条件情報と１ファイルあたりの料金を示す料金情報とをあらかじめデータベースに格納する格納手段と、前記ゲートウェイから前記ＳＭＩＬログファイルを受信するとＳＭＩＬファイルに含まれるファイル種別毎に前記データベースに格納された前記条件情報からファイル数を算出する第１の算出手段と、前記第１の算出手段で算出したＳＭＩＬファイルに含まれるファイル種別毎のファイル数を基に前記データベースに格納された前記料金情報を抽出することによりＳＭＩＬファイルに含まれるファイル種別毎の料金を算出しその算出したファイル種別毎の料金から前記コンテンツの料金を算出する第２の算出手段と、を有することを特徴としている。
【００１１】
更に、上記の第３のＳＭＩＬを使用したコンテンツの課金方式において、前記格納手段で格納する条件情報は、１ファイルとしてファイルの最大のサイズを示すファイルサイズ制限と、１ファイルとして最大の再生時間を示す再生時間制限と、を含むことを特徴としている。
【００１２】
更に、上記の第３のＳＭＩＬを使用したコンテンツの課金方式において、前記送信手段は、前記携帯端末と前記コンテンツを読み出しているインターネット先との間の通信パスが解除された場合に前記ＳＭＩＬログファイルを前記サーバに送信することを特徴としている。
【００１３】
また、本発明の第１のＳＭＩＬを使用したコンテンツの課金方法は、無線網を介しての携帯端末からの要求によりインターネットに接続するサポートを行うオペレータが前記携帯端末によるインターネットからのコンテンツの読出し時にその読み出したコンテンツの課金を行うＳＭＩＬを使用したコンテンツの課金方法であって、前記携帯端末が読み出したコンテンツからＳＭＩＬファイルを抽出し、その抽出したＳＭＩＬファイルに含まれるファイル種別毎にあらかじめ決められた１ファイルあたりの料金に基づいて前記ＳＭＩＬファイルに含まれるファイル種別毎の課金を算出し、前記ＳＭＩＬファイルに含まれるファイル種別毎に算出した課金の合計を１コンテンツあたりの料金として課金することを特徴としている。
【００１４】
また、本発明の第２のＳＭＩＬを使用したコンテンツの課金方法は、無線網を介しての携帯端末からの要求によりインターネットに接続するサポートを行うオペレータが前記携帯端末によるインターネットからのコンテンツの読出し時にその読み出したコンテンツの課金を行うＳＭＩＬを使用したコンテンツの課金方法であって、ＳＭＩＬファイルの種別毎にファイル情報に基づいた料金をあらかじめ設定したデータベースを準備し、前記携帯端末が読み出したコンテンツからＳＭＩＬファイルに含まれるファイル種別毎に前記ファイル情報を抽出し、その抽出したファイル情報を基に前記データベースに設定した料金からＳＭＩＬファイルに含まれるファイル種別毎の料金を算出し、そのＳＭＩＬファイルに含まれるファイル種別毎に算出した料金を合計することでコンテンツの課金を行うことを特徴としている。
【００１５】
また、本発明の第３のＳＭＩＬを使用したコンテンツの課金方法は、無線網を介しての携帯端末からの要求によりインターネットに接続するサポートを行うオペレータが前記携帯端末によるインターネットからのコンテンツの読出し時にその読み出したコンテンツの課金を行うＳＭＩＬを使用したコンテンツの課金方法であって、前記オペレータは、ＳＭＩＬファイルに含まれるファイル種別毎にファイル情報に基づいた料金をあらかじめ設定したデータベースを準備し、前記携帯端末が読み出したコンテンツを中継する場合に前記コンテンツがＳＭＩＬで作成されたかどうかを検索し、検索した結果前記コンテンツがＳＭＩＬで作成されたファイルであれば前記コンテンツからＳＭＩＬファイルに含まれるファイル種別毎の前記ファイル情報を抽出し、その抽出したＳＭＩＬファイルに含まれるファイル種別毎のファイル情報を基に前記データベースからＳＭＩＬファイルに含まれるファイル種別毎にファイル数を算出し、その算出したＳＭＩＬファイルに含まれるファイル種別毎のファイル数から前記データベースを検索して前記コンテンツの料金を算出することを特徴としている。
【００１６】
更に、上記の第２または第３のＳＭＩＬを使用したコンテンツの課金方法において、前記ファイル情報は、拡張子とファイルサイズと再生時間とを含むことを特徴としている。
【００１７】
更に、上記の第２または第３のＳＭＩＬを使用したコンテンツの課金方法において、前記データベースは、ＳＭＩＬファイルに含まれるファイル種別毎に１ファイルとしてファイルの最大のサイズを示すファイルサイズ制限と、１ファイルとして最大の再生時間を示す再生時間制限と、を含むことを特徴としている。
【００１８】
また、本発明の第４のＳＭＩＬを使用したコンテンツの課金方法は、無線網を介しての携帯端末からの要求によりインターネットに接続するサポートを行うオペレータが前記携帯端末によるインターネットからのコンテンツの読出し時にその読み出したコンテンツの課金を行うＳＭＩＬを使用したコンテンツの課金方法であって、前記オペレータ内に、前記コンテンツの中継を行うゲートウェイと、ＳＭＩＬを使用したコンテンツの課金のログを取るサーバと、を準備し、前記ゲートウェイは、前記携帯端末が読み出したコンテンツを中継する場合に前記コンテンツがＳＭＩＬで作成されたかどうかを検索し、検索した結果前記コンテンツがＳＭＩＬで作成されたファイルであれば前記コンテンツからＳＭＩＬファイルに含まれるファイル種別毎の拡張子とファイルサイズと再生時間とを含むファイル情報を抽出し、その抽出したＳＭＩＬファイルに含まれるファイル種別毎のファイル情報をＳＭＩＬログファイルとして取得し、その取得したＳＭＩＬログファイルを前記サーバに送信し、前記サーバは、ＳＭＩＬファイルに含まれるファイル種別毎にファイル数の条件を示す条件情報と１ファイルあたりの料金を示す料金情報とをあらかじめデータベースに格納し、前記ゲートウェイから前記ＳＭＩＬログファイルを受信するとＳＭＩＬファイルに含まれるファイル種別毎に前記データベースに格納された前記条件情報からファイル数を算出し、その算出したＳＭＩＬファイルに含まれるファイル種別毎のファイル数を基に前記データベースに格納された前記料金情報を抽出することによりＳＭＩＬファイルに含まれるファイル種別毎の料金を算出し、その算出したファイル種別毎の料金から前記コンテンツの料金を算出することを特徴としている。
【００１９】
更に、上記の第４のＳＭＩＬを使用したコンテンツの課金方法において、前記条件情報は、１ファイルとしてファイルの最大のサイズを示すファイルサイズ制限と、１ファイルとして最大の再生時間を示す再生時間制限と、を含むことを特徴としている。
【００２０】
更に、上記の第４のＳＭＩＬを使用したコンテンツの課金方法において、前記ゲートウェイは、前記取得したＳＭＩＬログファイルを前記サーバに送信する場合は前記携帯端末と前記コンテンツを読み出しているインターネット先との間の通信パスが解除された場合に前記ＳＭＩＬログファイルを前記サーバに送信することを特徴としている。
【００２１】
【発明の実施の形態】
次に、本発明の実施の形態について図面を参照して説明する。
【００２２】
図１を参照すると、本発明のＳＭＩＬを使用したコンテンツの課金システムの構成を示す。この課金システムは、携帯電話通信業者と契約したユーザの所有する複数の携帯端末１と、携帯電話通信業者がインターネットをサポートするサポート郡を構築するオペレータ８００と、各種コンテンツをサポートする複数のＷｅｂサーバ５と、携帯端末１とオペレータ８００とを接続する無線網９０１と、複数のＷｅｂサーバ５とオペレータ８００とを接続するインターネット９０２とから構成される。
【００２３】
図１の携帯端末１は、図示していないプロセッサ（ＣＰＵ）によりプログラム制御で動作し、ユーザがオペレータ８００と無線網９０１を介して通信できる携帯電話、ＰＤＡ、パソコン等の携帯機器である。更に、携帯端末１は、ブラウザ（簡易ブラウザを含む）を搭載しており、そのブラウザにより、オペレータ８００を介して、インターネット９０２に接続された各Ｗｅｂサーバ５にアクセスすることができる。
【００２４】
図１のオペレータ８００は、ＬＡＮ回線９０３と、無線網９０１とＬＡＮ回線９０３に接続された各サーバとやり取りを行うゲートウェイ２と、インターネット９０２を介してＷｅｂサーバ５への接続をサポートするポータルサーバ３と、各Ｗｅｂサーバ５のＳＭＩＬファイルのログを収集するログサーバ４とから構成される。なお、ＬＡＮ回線９０２に、ゲートウェイ２とポータルサーバ３とログサーバ４とが接続されているが、その他に、コンテンツに含まれる内容のコンバート処理を行なうコンテンツコンバートサーバ、メールのサポートを行うメールサーバ等の図示していないサーバが接続されている。
【００２５】
図１のゲートウェイ２は、図示していないプロセッサ（ＣＰＵ）によりプログラム制御で動作するサーバ、ワークステーション等の情報処理装置であって、ＳＭＩＬ拡張子一覧テーブル２１と、ＳＭＩＬログ格納部２２とを有している。
【００２６】
図１のログサーバ４は、図示していないプロセッサ（ＣＰＵ）によりプログラム制御で動作するサーバ、ワークステーション等の情報処理装置であって、ＳＭＩＬ対象ファイルデータベース４１と、課金算出格納部４２と、課金ログデータベース４３とを有している。
【００２７】
図１のＳＭＩＬ拡張子一覧テーブル２１は、図示していない不揮発性の記録媒体装置（例えば、磁気ディスク）内に割り当てられており、ＳＭＩＬファイルを識別するために、ＳＭＩＬファイルを識別する拡張子の一覧（例えば、ｒｔ、ｒｐ、ｒａ、ｒｍ、ｒｖ、ｓｗｆ）があらかじめ格納されている。
【００２８】
図１のＳＭＩＬログ格納部２２は、ゲートウェイ２内の図示していないメモリ（例えば、ＲＡＭ）内に割り当てられており、各ユーザの携帯端末１とＷｅｂサーバ５との通信パス設定時に通信パス毎のエリアが確保され、携帯端末１からＷｅｂサーバ５から読み出したコンテンツ内のＳＭＩＬファイルのファイル情報がＳＭＩＬログファイルとして格納されている。通信パスが解除されると、該当する通信パスのＳＭＩＬログファイルがログサーバ４に転送され、クリアされる。
【００２９】
図２を参照すると、ＳＭＩＬログ格納部２２内にエリアが確保された場合のＳＭＩＬログ格納部２２内の内容の一例を示しており、ＳＭＩＬログ格納部２２には、ユーザの識別を示すユーザ識別情報と、コンテンツの識別を示すコンテンツ名と、ＳＭＩＬを使用したＳＭＩＬファイル名とそのＳＭＩＬファイルの拡張子とそのＳＭＩＬファイルのサイズを示すファイルサイズとそのＳＭＩＬファイルの再生時間を示す再生時間とを含むファイル情報とが１つのログ情報として、格納され、格納されたログ情報をＳＭＩＬログファイルとして扱われる。
【００３０】
図１のＳＭＩＬ対象ファイルデータベース４１は、図示していない不揮発性の記録媒体装置（例えば、磁気ディスク）内に割り当てられており、ＳＭＩＬで用いられるファイルの拡張子とその課金内容を定義しているデータベースである。特に、ＳＭＩＬ対象ファイルデータベース４１は、コンテンツに添付されている各ＳＭＩＬファイルのファイル情報（特にファイル情報のうちファイルサイズと再生時間を示す）をベースにして、ＳＭＩＬファイルに含まれるファイル種別毎（ＳＭＩＬファイルの拡張子毎）に、１ファイルあたりの料金（ファイルの単金）を設定したテーブルである。すなわち、ＳＭＩＬ対象ファイルデータベース４１は、ファイルサイズと再生時間に制限を設けることによりファイル数を決定できるように考慮されている。
【００３１】
図３を参照すると、ＳＭＩＬ対象ファイルデータベース４１の内容の一例を示しており、ＳＭＩＬ対象のファイルの種類を示すファイル種類と、拡張子と、ファイルサイズの制限（単位はＫＢ）を示すファイルサイズ制限（ＫＢ）と、再生時間（単位は秒）の制限を示す再生時間制限（ｓ）と、ファイル１つあたりの料金を示す料金内容（／ｆｉｌｅ）とから構成される。すなわち、ファイルの拡張子毎に１ファイル毎の料金が設定されている。なお、ファイルサイズ、ファイル再生時間の制限値を超えた場合には、超えた分、ファイル数としてカウントする（例えば、ファイルサイズ制限が２０ＫＢで５ＫＢ超えていれば、ファイル数は「２」となり、ファイルサイズ制限が２０ＫＢで３０ＫＢ超えていれば、ファイル数は「３」となる）。
【００３２】
図１の課金算出格納部４２は、ログサーバ４内の図示していないメモリ（例えば、ＲＡＭ）内に割り当てられており、ゲートウェイ２からのＳＭＩＬログファイルを受信した場合に各ユーザ毎のエリアが確保され、ＳＭＩＬを使用したコンテンツ毎の課金算出時の一時的な格納エリアとして利用される。利用後は、確保されたエリアは、解放される。
【００３３】
図４を参照すると、課金算出格納部４２内にエリアが確保された場合の課金算出部４２内の内容の一例を示した概略図である。すなわち、課金算出格納部４２には、ユーザ識別情報と、コンテンツ名と、ファイル種別と、拡張子と、ファイル数と、拡張子あたりの課金を示す料金と、コンテンツあたりの課金を示す合計料金とを含む情報が格納される。なお、課金算出格納部４２内にエリアが確保されると、ファイル種別欄および拡張子欄には図４のような情報が、ファイル数欄、料金欄、合計料金欄には「０」が、それぞれログサーバ４により初期設定される。
【００３４】
図１の課金ログデータベース４３は、ユーザ毎に割り当てられており、各ユーザには、コンテンツ毎に発生した課金ログが登録されており、課金算出格納部４２に算出された情報が課金ログとして登録される。
【００３５】
次に、図１〜図６を参照して本発明の実施の形態の動作について説明する。
【００３６】
ユーザが携帯端末１を用いて、オペレータ８００がサービスを行っているインターネットを利用したいために無線網９０１を介して、オペレータ８００にアクセスすると、オペレータ８００のポータルサーバ３は、Ｗｅｂサーバ５にアクセスするためのメニュー画面をゲートウェイ２、無線網９０１を介して携帯端末１の画面に表示する。ユーザが表示されたメニュー画面から利用したいメニューを選択すると、携帯端末１は、ポータルサーバ３を経由して、インターネット９０２を介して選択したＷｅｂ５に接続される。携帯端末１とＷｅｂサーバ５との間にゲートウェイ２を経由した通信パスが確立される。
【００３７】
通信パスが確立されると、ゲートウェイ２は、ＳＭＩＬログ格納部２２にユーザ識別情報を設定することにより、ＳＭＩＬログ格納部２２内にその通信パスに対応したエリアを確保する（図５のステップＳ１０１）。
【００３８】
携帯端末１は、Ｗｅｂサーバ５に対して、その選択したコンテンツをゲートウェイ２経由で要求する。要求されたＷｅｂサーバ５は、図示していない記録媒体装置（例えば、磁気ディスク）に保存するコンテンツを読み出して、ゲートウェイ２を経由して携帯端末１に送信する。携帯端末１が要求したコンテンツを受信すると、中継を行うゲートウェイ２は、中継送信したコンテンツ情報が携帯端末１に受信されると、送信したコンテンツのヘッダを解析し、ＳＭＩＬで作成しているか（ＳＭＩＬを使用した識別情報がヘッダ内に存在するかどうか）をチェックする（ステップＳ１０２，Ｓ１０２，Ｓ１０３，Ｓ１０４）。
【００３９】
ステップＳ１０４においてＳＭＩＬで作成していれば、ゲートウェイ２は、ＳＭＩＬを使用したコンテンツに各ファイルの拡張子がＳＭＩＬ拡張子一覧テーブル２１に登録されている拡張子と一致するかをチェックする。一致すれば、ゲートウェイ２は、コンテンツからファイル名と拡張子とファイルサイズと再生時間とを含むファイル情報をファイル名（拡張子）毎に抽出して、ＳＭＩＬログ格納部２２内の該当する通信パスのエリア内でユーザ識別情報に該当する領域にコンテンツ名と抽出したファイル名毎のファイル名、拡張子、ファイルサイズ、再生時間を登録する（ステップＳ１０５，Ｓ１０６，Ｓ１０７）。
【００４０】
このようにして、通信パスが切断されるまで、ゲートウェイ２は、コンテンツを受信する毎に、コンテンツ内の情報を解析して、通信パス毎のＳＭＩＬのログ情報であるＳＭＩＬログファイルをＳＭＩＬログ格納部２２に該当する通信パスのエリアに取る。この場合、ゲートウェイ２は、同一のコンテンツ内に同一のファイル名と拡張子とが存在しても全てログ情報として抽出する。やがて、通信パスが解除（切断）されると、ゲートウェイ２は、ＳＭＩＬログファイル３２内の該当する通信パスのエリアに格納されているＳＭＩＬログファイルをログサーバ４に送信すると共に、該当する通信パスのエリアをクリアする（ステップＳ１０８，Ｓ１０９）。なお、この場合のログファイルの送信方法については、サーバ間のインタフェースを利用しても、ＦＴＰを使用してもよい。
【００４１】
ログサーバ４は、ゲートウェイ２からＳＭＩＬログファイルを受信すると、受信したＳＭＩＬログファイルから課金を算出するために、受信したＳＭＩＬログファイルをゲートウェイ２内の図示していないメモリ（例えばＲＡＭ）内に一時的に保存すると共に、課金算出格納部４２内に受信したＳＭＩＬログファイルからユーザ識別情報とコンテンツ名とを抽出し、その抽出したユーザ識別情報とコンテンツ名を課金算出格納部４２内に登録することにより、課金算出格納部４２内にエリアを確保する（図６のステップＳ２０１）。
【００４２】
更に、ログサーバ４は、受信したＳＭＩＬログファイルの拡張子を基にＳＭＩＬ対象ファイルデータベース４１の検索を開始する（ステップＳ２０２）。
【００４３】
ログサーバ４は、検索の過程で、拡張子毎にファイル数を算出することになるが、ＳＭＩＬファイルが再生時間制限対象であるかどうかを確認する（ステップＳ２０３）。
【００４４】
ステップＳ２０３において、ＳＭＩＬファイルが再生時間制限対象であれば、ログサーバ４は、受信したＳＭＩＬログファイル内の該当する拡張子の再生時間とＳＭＩＬ対象ファイルデータベース４１で定義されている再生時間制限とを比較する（ステップＳ２０４）。
【００４５】
ステップＳ２０４において、再生時間制限を越えていれば、ログサーバ４は、課金算出格納部４２内の該当する拡張子のファイル数を＋１カウントアップする。更に、ログサーバ４は、ＳＭＩＬログファイル内の再生時間から再生時間制限を引いた値を新たな再生時間としてステップＳ２０４に戻す（ステップＳ２０５，Ｓ２０６）。
【００４６】
ステップＳ２０３での再生時間制限対象外、またはＳ２０４での再生時間制限以下であれば、ログサーバ４は、受信したＳＭＩＬログファイル内の該当する拡張子のファイルサイズとＳＭＩＬ対象ファイルデータベース４１で定義されているファイルサイズ制限とを比較する（ステップＳ２０７）。
【００４７】
ステップＳ２０７において、ファイルサイズ制限を越えていれば、ログサーバ４は、課金算出格納部４２内の該当する拡張子のファイル数を＋１カウントアップする。更に、ログサーバ４は、ＳＭＩＬログファイル内のファイルサイズからファイルサイズ制限を引いた値を新たなファイルサイズとしてステップＳ２０７に戻す（ステップＳ２０８，Ｓ２０９）。
【００４８】
ステップＳ２０７において、ファイルサイズ制限以下であれば、ログサーバ４は、課金算出格納部４２内の該当する拡張子のファイル数を＋１カウントアップする（ステップＳ２１０）。
【００４９】
ログサーバ４は、コンテンツ内の全てのファイルを検索するまでステップＳ２０３からの処理を繰り返すが、やがて、全てのファイルの検索を終了すると、全てのコンテンツが終了したかをチェックする。コンテンツが全て終了していなければ、ステップＳ２０３から繰り返す（ステップＳ２１１，Ｓ２１２）。
【００５０】
やがて、全ての検索処理が終了すると、課金算出格納部４２には拡張子毎のファイル数が算出されているため、ログサーバ４は、算出された各拡張子毎のファイル数とＳＭＩＬ対象ファイルデータベース４１内に定義されている各拡張子の料金内容とを掛け合わせることにより料金を算出し、算出したそれぞれの料金を課金算出格納部４２内のそれぞれの拡張子に対応する料金欄に格納する。更に、ログサーバ４は、コンテンツ毎に各拡張子の料金の合計を算出し、合計料金欄に算出した合計を格納する。すなわち、コンテンツ毎の課金が算出されたことになる（ステップＳ２１３）。
【００５１】
更に、ログサーバ４は、課金算出格納部４２に格納した情報（コンテンツ名、ファイル種別、拡張子、ファイル数、料金、合計料金）を読み出して、該当するユーザ識別情報のエリア内に課金ログ（コンテンツ名、ファイル種別、拡張子、ファイル数、料金、合計料金：図４のユーザ識別情報を除く一覧）として生成して課金ログファイルデータベース４３に格納して終了する（ステップＳ２１４）。
【００５２】
上記の説明では、発生日付（西暦、月、日、時刻）の履歴情報に関しては、説明しなかったが、ゲートウェイ２は、コンテンツの中継時に発生日付も同時にＳＭＩＬログファイルのログ情報として取っており、その情報が課金ログにも反映されているものとする。
【００５３】
以上説明したように、本発明では、ユーザが読み出したコンテンツにＳＭＩＬ対象のファイルであるマルチメディアファイルが添付されていれば、ファイルサイズおよびまたは再生時間に応じた料金を課金することができる。すなわち、マルチメディアファイルを統合的に扱うことのできる情報記述言語ＳＭＩＬを用いて記述されているコンテンツの場合は、そのコンテンツに含まれているマルチメディアファイルのファイル数やファイルの種類を基に、あらかじめ設定されていた料金を搭載したＳＭＩＬ対象ファイルデータベース４１を参照して、課金を実施するようにしているため、携帯端末１の所有者と契約している携帯電話通信業者が採用している回線使用時間単位、従量（パケット）単位による課金方式のようにマルチメディアファイルを扱うほど、課金が増加してしまうという問題点をなくすことができる。
【００５４】
【発明の効果】
以上説明したように、本発明は、従来のテキストファイルと比べるとファイルサイズも大きくて通信時間もばらばらなマルチメディアファイルに対して、マルチメディアファイルの拡張子毎にファイル情報に基づいた一定の課金を与えるようにしたため、マルチメディアファイルに対する課金処理を容易にするという効果がある。
【図面の簡単な説明】
【図１】本発明の実施の形態におけるシステムの構成を示すブロック図である。
【図２】図１のＳＭＩＬログ格納部内の内容の一例を示す概略図である。
【図３】図１のＳＭＩＬ対象ファイルデータベースの内容の一例を示す概略図である。
【図４】図１の課金算出格納部内の内容の一例を示す概略図である。
【図５】図１のゲートウェイにおけるＳＭＩＬログファイルの収集動作を示すフローチャートである。
【図６】図１のログサーバのＳＭＩＬログファイル受信時の動作を示すフローチャートである。
【符号の説明】
１　　携帯端末
２　　ゲートウェイ
２１　　ＳＭＩＬ拡張子一覧テーブル
２２　　ＳＭＩＬログ格納部
３　　ポータルサーバ
４　　ログサーバ
４１　　ＳＭＩＬ対象ファイルデータベース
４２　　課金算出格納部
４３　　課金ログデータベース
５　　Ｗｅｂサーバ
８００　　オペレータ
９０１　　無線網
９０２　　インターネット
９０３　　ＬＡＮ回線
【図１】
2004086493.tif 000003
【図２】
2004086493.tif 000004
【図３】
2004086493.tif 000005
【図４】
2004086493.tif 000006
【図５】
2004086493.tif 000007
【図６】
2004086493.tif 000008